(57)【要約】【課題】  無線情報端末装置において人体などへの電波の放射を低減する。【解決手段】  人体検出部１１２で無線デジタルカメラ本体に対する人体の近接の度合いを検出し、制御部１０１がその近接の度合いに応じて、無線デジタルカメラ本体の人体側の空中線Ｂ１１１の電波放射を低減するように、制御信号Ｓ２を出力して結合器１０８を選択し、２つの空中線Ａ１１０、Ｂ１１１に対する送信電力の分配比率を変化させる。【選択図】      図１
2005286627.tif 000002
【特許請求の範囲】
【請求項１】
複数の空中線を有する無線情報端末装置において、
発振周波数を決定する静電容量が変化する発振器からの出力に基づいて前記複数の空中線のうち一方の空中線の電波放射を低減するように前記複数の空中線への送信電力を制御する制御手段を有することを特徴とする無線情報端末装置。
【請求項２】
前記制御手段は、前記複数の空中線に対する送信電力の分配比率を変化させることを特徴とする請求項１記載の無線情報端末装置。
【請求項３】
前記制御手段は、前記複数の空中線の一方の空中線への送信電力を減衰させることを特徴とする請求項１記載の無線情報端末装置。
【請求項４】
前記無線情報端末装置は無線通信機能を有するデジタルカメラであることを特徴とする請求項１記載の無線情報端末装置。
【請求項５】
複数の空中線を有する無線情報端末装置において、
無線情報端末装置に対する人体の近接度合いを検出する検出手段と、
前記人体の近接度合いに応じて、前記複数の空中線の少なくとも一方の空中線の電波放射レベルを該空中線からの電波放射が停止しない範囲で低減するように前記複数の空中線への送信電力を制御する制御手段とを有することを特徴とする無線情報端末装置。
【請求項６】
複数の空中線を有する無線情報端末装置の制御方法であって、
発振周波数を決定する静電容量が変化する発振器からの出力に基づいて前記複数の空中線のうち一方の空中線の電波放射を低減するように前記複数の空中線への送信電力を制御する制御工程を有することを特徴とする無線情報端末装置の制御方法。
【請求項７】
請求項６記載の無線情報端末装置の制御方法をコンピュータに実行させるためのプログラム。
【請求項８】
請求項７記載のプログラムを記録したコンピュータ読み取り可能な記録媒体。
【発明の詳細な説明】
【技術分野】
【０００１】
本発明は、無線情報端末装置において人体などへの電波の放射を低減する技術に関する。
【背景技術】
【０００２】
近年、各種の移動体通信端末の小型軽量化と無線化の傾向が強くなってきている。特に、いわゆる近距離無線通信と呼ばれるBluetooth機器に見られるように、小型の携帯端末にも実装可能なサイズのチップがチップメーカから供給されるようになってきている。
【０００３】
また、IEEE 802.11a、IEEE 802.11bの規格に準拠したＷＬＡＮのチップも今後更に小型化が進み、現在パーソナルコンピュータ（ＰＣ）がメインで搭載されているものの今後はＰＤＡ（Personal Digital Assistants）、デジタルカメラなどの更に小型な携帯端末に実装されていくことが考えられる。
【０００４】
特に、デジタルカメラなどで撮影した画像を即座に近くの情報端末に無線で伝送したい場合に、人体の近傍、特に頭部に近い状態で無線伝送する可能性が十分考えられる。このような場合、人体の頭部、特には眼球などへの電波の放射は極力避ける必要がある。
【０００５】
国内においては、２００２年の電波の日より、携帯電話については電波防護規制の対象となり、ＳＡＲ（Specific Absorption Rate）＜比吸収率＞値のメーカによる測定と製品へのＳＡＲ値の記載が義務付けられるようになった。ＳＡＲの規格値として、２Ｗ／Ｋｇの値が定められている。
【０００６】
今後は上述の携帯電話に限らず、無線情報端末でも一定レベル以上の送信電波を発する機器に対しては規制の対象となる可能性がある。このような人体防護の観点から従来より人体への電波の放射を抑えるような工夫がなされている。人体への電波の影響を鑑み、通信相手からの電波の受信レベルをもに対し、一定レベル以下になると電波の経路情報を人間が遮断したとして送信を停止する提案もなされている（例えば、特許文献１参照。）。しかしながら、特許文献１に記載されているのは、電波の経路を遮断した人間への電波の影響を低減するものであり、無線機器の使用者本人への影響を低減するものではない。
【０００７】
図１２は、従来の無線情報端末装置における無線送信部の構成の一例を示す図である。図１２において、１２０１はアレイアンテナ、１２０２は送信周波数変換部、１２０３は送信ビーム形成部、１２０４はアレイ励振重み付け算出部、１２０５は切替判定部である。また、１２１１は送信無線周波数、１２１２は中間周波数信号又はベースバンド信号、１２１３は送信データ、１２１４はアレイ励振重み付け信号、１２１５は空中線切替信号である。
【０００８】
この構成において、切替判定部１２０５は、使用用途に応じて、アレイ重み付け算出部１２０４にアンテナ切替信号１２１５を出力する。アレイアンテナ１２０１は複数の空中線（空中線１〜空中線Ｎ）で構成され、アレイ励振重み付け算出部１２０４は空中線切替信号１２１５により所望のアンテナパターンを形成するアレイ励振重み付け信号１２１４を算出し、送信ビーム形成部１２０３にアレイ励振重み付け信号１２１４を出力する。
【０００９】
そして、送信ビーム形成部１２０３に入力された送信データ１２１３は、複数個の空中線素子に分配され、送信ビーム形成部１２０３に入力されたアレイ励振重み付け信号１２１４を掛け合わせることにより、中間周波数信号又はベースバンド信号１２１２に変換され、送信周波数変換部１２０２に出力される。
【００１０】
この中間周波数信号又はベースバンド信号１２１２は送信周波数変換部１２０２に入力され、送信無線周波数１２１１に変換され、アレイアンテナ１２０１に出力される。これにより、使用用途に応じて空中線の指向性が変化する送信装置を構成できる。
【特許文献１】特開平８−３１６８７１号公報
【発明の開示】
【発明が解決しようとする課題】
【００１１】
しかしながら、図１２に示す構成においては、使用用途に応じて空中線の指向性を適応的に可変可能であるが、装置の構成が大きくなると共に、重み付け算出にかかる演算量も膨大になり、切替タイミングに遅延が生じる等のリアルタイムな切替が行われない可能性がある。
【００１２】
また、コスト的にも小型の無線情報端末装置などに実装するには高価なものになる、という不都合が生じる。
【００１３】
本発明は、上記課題を解決するためになされたもので、無線情報端末装置において人体などへの電波の放射を低減することを目的とする。
【課題を解決するための手段】
【００１４】
本発明は、複数の空中線を有する無線情報端末装置において、発振周波数を決定する静電容量が変化する発振器からの出力に基づいて前記複数の空中線のうち一方の空中線の電波放射を低減するように前記複数の空中線への送信電力を制御する制御手段を有することを特徴とする。
【００１５】
また、本発明は、複数の空中線を有する無線情報端末装置において、無線情報端末装置に対する人体の近接度合いを検出する検出手段と、前記人体の近接度合いに応じて、前記複数の空中線の少なくとも一方の空中線の電波放射レベルを該空中線からの電波放射が停止しない範囲で低減するように前記複数の空中線への送信電力を制御する制御手段とを有することを特徴とする。
【発明の効果】
【００１６】
本発明によれば、無線情報端末装置において人体などへの電波の放射を低減することができる。
【発明を実施するための最良の形態】
【００１７】
以下、図面を参照しながら発明を実施するための最良の形態について詳細に説明する。
【００１８】
図１は、無線情報端末装置における無線送受信部の構成の一例を示すブロック図である。図１において、１０１は制御部、１０２は変調部、１０３は送信ＲＦ部、１０４は送／受切替器、１０５は受信ＲＦ部、１０６は復調部、１０７は結合選択器、１０８は結合器、１０９は選択器、１１０は空中線Ａ、１１１は空中線Ｂ、１１２は人体検出部、１１３は警告表示部である。
【００１９】
以上の構成において、無線送信時、制御部１０１内の不図示のメモリに格納されている画像データ等のデジタルデータが変調部１０２において周波数変調、位相変調等、所望の変調動作が行われ、送信インターフェース信号或いは送信ベースバンド信号となって送信ＲＦ部１０３に供給され、所望の無線周波数信号に周波数変換され、送／受切替器１０４に供給される。
【００２０】
制御部１０１は、送信／受信のタイミングに同期して送／受切替信号Ｓ１を送／受切替器１０４に供給し、送信パスと受信パスの切替動作を行う。
【００２１】
無線送信時には、送信パスに切り替えられ、結合選択器１０７に無線周波数信号が供給される。結合選択器１０７に供給された無線周波数信号は、制御部１０１より送出される選択信号Ｓ２を受けて後述する条件に基づき、結合器１０８における結合器Ａ或いは結合器Ｂの何れかの入力端に供給される。
【００２２】
また、制御部１０１から送出された選択信号Ｓ２は、同時に選択器１０９にも送出され、結合選択器１０７と選択器１０９によって結合器１０８における結合器Ａ或いは結合器Ｂの何れかの出力端が選択される。
【００２３】
これにより、無線周波数信号は選択された結合器に供給され、選択された結合器を介して結合器の２つの出力端に電力分配され、電力分配された無線周波数信号がそれぞれ空中線１１０と空中線１１１に供給される。
【００２４】
一方、無線受信時は、受信ＲＦ部１０５が空中線１１０或いは空中線１１１で受信した無線周波数信号に対して所望の増幅、帯域制限、周波数変換を行い、復調部１０６が受信ＲＦ部１０５で周波数変換されたインターフェース信号或いはベースバンド信号に所望の復調動作を行い、復調データを制御部１０１に供給し、制御部１０１により外部インターフェース（図示せず）などに出力される。
【００２５】
また、人体検出部１１２は、無線情報端末装置に人体などが近接したか否かを検出するものである。また、警告表示部１１３は、人体検出部１１２が無線情報端末装置に人体が近接したことを検出した際に、制御部１０１よりその旨をユーザに報知するためのもので、ＬＥＤの点滅やブザーなどの音で警告を促すものである。制御部１０１より信号Ｓ４を送出し、ユーザに報知する。
【００２６】
ここで、無線情報端末装置として、無線通信機能を有する無線デジタルカメラを例に、ユーザが無線デジタルカメラで撮像した画像データを、無線通信機能を有するパーソナルコンピュータへ送信する際に、ユーザの頭部、顔面が無線デジタルカメラに近接した場合、複数の空中線に対する送信電力の分配比率を変化させて人体への電波放射を低減させる方法について説明する。
【００２７】
図２は、ユーザが無線デジタルカメラにより撮像する際の状態を示す図である。図２において、２０１は無線デジタルカメラ本体、２０２は人体、特にユーザの頭部である。
【００２８】
図３は、無線デジタルカメラの外観を示す外観斜視図である。図３において、３０１は無線デジタルカメラ本体、３０２及び３０３は共に空中線であり、図１に示した空中線Ａ１１０、空中線Ｂ１１１に相当する。３０４は人体検出部であり、図１に示す人体検出部１１２に相当する。
【００２９】
３０５は撮影する画像のモニタリングを行うＬＣＤなどの画像モニタである。３０６は撮影した画像の無線伝送を開始させる送信開始ボタンである。３０７は撮影モード設定のためのモードダイヤルである。３０８は撮影画像取り込み開始のリリースボタン、３０９は撮像レンズである。
【００３０】
尚、空中線３０２、空中線３０３の位置関係については、空中線３０２は無線デジタルカメラ本体３０１の撮影レンズ３０９が配置されている面側に配置されており、また空中線３０３は無線デジタルカメラ本体３０１の人体側、即ち、画像モニタ３０５が位置する面側に配置されている。
【００３１】
また、空中線３０２、３０３の配置間隔は、送信する無線周波数の波長をλとすると、λ／４以上離れて配置されている。また、人体検出部３０４も画像モニタ３０５側に配置されている。
【００３２】
次に、無線デジタルカメラ本体に備えられ、ユーザの頭部、顔面が接近したことを検出する人体検出部の構成及び検出動作について説明する。
【００３３】
図４は、本実施形態における人体検出部の構成の一例を示すブロック図である。図４において、４０１は発振器、４０２は緩衝増幅器、４０３は帯域フィルタ、４０４は検波器、４０５は直流増幅器である。
【００３４】
この構成において、発振器４０１は図３に示すように無線デジタルカメラ本体３０１の画像モニタ３０５側に配置され、撮影するユーザの人体、特には頭部、顔面が近接される位置に配置されている。また、発振器４０１は頭部、顔面などの誘電体が近接することにより発振器４０１の発振周波数を決定する静電容量が大きく変化するように、発振周波数を決定する容量素子の電極パターンを面積の大きなプリントパターンで構成している。
【００３５】
これにより、人体の頭部、顔面などが近接した場合、静電容量が増加して発振周波数が低い周波数にシフトする。
【００３６】
緩衝増幅器４０２は、いわゆるバッファアンプで、発振器４０１の負荷インピーダンスの変動による発振周波数の変動を抑えるものである。
【００３７】
帯域フィルタ４０３は、人体などが無線デジタルカメラ本体３０１に近接した時の発振器４０１の発振周波数が通過帯域として設定され、人体などが近接していない時の発振器４０１の発振周波数が通過帯域から外れるように設定されている。
【００３８】
この帯域フィルタ４０３の通過帯域をこのように設定することにより、人体などが無線デジタルカメラ本体３０１に近接したときに、帯域フィルタ４０３の出力が最大となり、人体などが近接していないときには帯域フィルタ４０３の出力は最小となる。
【００３９】
また、人体などが近接する度合いによっては、帯域フィルタ４０３の通過特性の肩特性（フィルタ特性の急峻さ）により中間の近接度合いをも検出できる。
【００４０】
次に、検波器４０４は帯域フィルタ４０３の出力信号をＤＣ電圧に変換し、直流増幅器４０５は検波器４０４から出力されたＤＣ電圧を増幅する。そして、直流増幅器４０５で増幅された出力電圧Ｖdet は図１に示す制御部１０１に送出され、制御部１０１の不図示Ａ／Ｄ変換器などに入力され、所望の演算処理が行われ、そのレベルが不図示のメモリに格納される。
【００４１】
図５は、図４に示す発振器４０１の構成の一例を示す図である。また、図６は、発振器４０１の周波数変化の様子を示す図である。
【００４２】
図５において、５０１はトランジスタ（Ｔｒ）等の能動素子、５０２はインダクタＬ１であり、Ｔｒ５０１のベースに接続されている。５０３、５０４はコンデンサＣ１、Ｃ２であり、Ｔｒ５０１のベースに接続されている。５０５はインダクタＬ２で、Ｔｒ５０１のコレクタに接続されると共に他端は電源に接続され、チョークの役目をなしている。
【００４３】
この構成において、発振器４０１の発振出力はＴｒ５０１のコレクタより取り出され、その発振周波数ｆｏは以下の式で決定される。
【００４４】
ｆｏ＝１／２π√Ｌ１（Ｃ１＋Ｃ２）
ここで、例えば人体などが人体検出部３０４に近接していない場合は、図６に示すように、発振周波数はｆ０となり、図６に示す帯域フィルタ特性（破線部）の肩の部分に発振周波数ｆ０が殆どかからないため、発振器４０１からの出力は帯域フィルタ４０３によって取り出されない。
【００４５】
従って、無線デジタルカメラ本体に設けられた人体検出部３０４の出力電圧は最小値を示す。
【００４６】
また、人体などがある程度人体検出部３０４に近接すると、図５に示すコンデンサＣ２の容量が増大することにより、例えば発振周波数が低下してｆ１（ｆ１＜ｆ０）となる。この状態では、発振周波数ｆ１は帯域フィルタ４０３の通過帯域特性の右肩部分にかかるため、ある一定レベルの出力が帯域フィルタ４０３から取り出せる。
【００４７】
更に、人体などが人体検出部３０４に近接した場合は、発振周波数は更に低下し、ｆ２（ｆ２＜ｆ１）となり、図６に示すように、発振周波数ｆ２は帯域フィルタ４０３の通過帯域内に入り、帯域フィルタ４０３から取り出せる発振器４０１の出力は最大となる。
【００４８】
図７に示すように、人体が人体検出部３０４に近接していない場合の発振周波数はｆ０で、そのときの人体検出部３０４の出力レベルはＶ０となり、ある程度人体が人体検出部３０４に近接した場合の発振周波数はｆ１で、そのときの人体検出部の出力レベルはＶ１（Ｖ１＞Ｖ０）となり、最も近接した場合の発振周波数はｆ２で、そのときの出力レベルはＶ２（Ｖ２＞Ｖ１）となる。
【００４９】
図８は、本実施形態における結合器１０８の構成の一例を示す図である。尚、図８は、図１に示した結合器１０８を構成する結合器Ａの構成を示すものである。また、結合器Ｂの構成は結合器Ａと同様である。
【００５０】
図８において、８０１は伝送路Ａ、８０２は伝送路Ｂ、８０３は終端器、８１０は入力端子、８２０、８３０は出力端子である。そして、出力端子８３０は終端器８０３で終端されている。
【００５１】
このように、結合器Ａは２つの平行に配置された伝送路Ａ８０１、Ｂ８０２からなり、入力端子８１０に入力された無線周波数信号が伝送路Ａ８０１と伝送路Ｂ８０２との結合度合いに応じて出力端子８２０と出力端子８３０に電力分配されて出力される。
【００５２】
例えば、２本の伝送路の結合度が３ｄＢの場合、入力端子８１０に入力された無線周波数信号レベルをＰ０とすると、出力端子８２０と出力端子８３０には等比率で分配され、それぞれＰ０／２ずつ出力される。
【００５３】
また、２本の伝送路の結合度が１０ｄＢの場合、入力端子８１０に入力された無線周波数信号レベルをＰ０とすると、出力端子８２０と出力端子８３０には０．９Ｐ０と０．１Ｐ０の比率で分配されて出力される。
【００５４】
このように、結合器１０８を構成する結合器Ａの結合度を３ｄＢ、結合器Ｂの結合度を１０ｄＢとした場合、無線送信周波数信号は結合器Ａが選択信号Ｓ２によって選択されると、空中線Ａ１１０と空中線Ｂ１２０には等比率の無線送信周波数信号が供給されて空中に放射される。
【００５５】
また、送信周波数信号レベルをＰ０とし、選択信号Ｓ２によって結合器Ｂが選択されると、空中線Ａ１１０には０．９Ｐ０の送信信号が、空中線Ｂには０．１Ｐ０の送信信号が供給されて空中に放射される。
【００５６】
即ち、人体検出部３０４の出力レベルＶdet が図７に示すＶ０以下の場合は、人体などが近接していないと判断し、選択信号Ｓ２により結合器Ａを選択することにより、空中線Ａ１１０、空中線Ｂ１１１には等比率で送信信号が供給される。
【００５７】
また、人体検出部３０４の出力レベルＶdet がＶ２の場合は、人体などの近接度合いが最も大きいと判断し、選択信号Ｓ２により結合器Ｂを選択することにより、空中線Ａ１１０には０．９Ｐ０の送信信号が、空中線Ｂには０．１Ｐ０の送信信号が供給される。
【００５８】
図９は、本実施形態における制御部の制御手順を示すフローチャートである。まずステップＳ９０１において、無線デジタルカメラ本体３０１の電源が投入されると、ステップＳ９０２において、無線通信起動を行い、所定のプログラムを起動させる。そして、ステップＳ９０３において、無線デジタルカメラ本体３０１の周辺に存在する同様の無線方式を有する無線端末に対して問い合わせ要求を送信し、ステップＳ９０４で、問い合わせの結果を待つ。
【００５９】
ここで、上述の問い合わせ要求に対して周辺の無線端末から問い合わせに対する応答があった場合はステップＳ９０５へ進み、応答した無線端末との無線通信接続を確立する。そして、ステップＳ９０６及びＳ９０７において、無線端末から無線デジタルカメラ本体３０１で撮影した画像の送信要求を受信するのを待つ。
【００６０】
その後、ステップＳ９０７で、無線端末から送信要求を受信するとステップＳ９０８へ進み、後述する結合器選択処理を行う。この処理は、画像データを送信する前に、人体が無線デジタルカメラ本体３０１に近接しているか否かを判定し、適切な結合器を選択する処理である。
【００６１】
次に、結合器の選択処理が終了すると、ステップＳ９０９において、画像データの送信を開始する。そして、ステップＳ９１０において、画像データの送信が終了したか否かを判定し、画像データの送信が終了していなければステップＳ９０６に戻り、上述した処理を繰り返す。また、画像データの送信が終了していればステップＳ９１１へ進み、周辺の無線端末との無線通信接続を停止し、周辺の無線端末との接続を断つ。
【００６２】
また、上述したステップＳ９０４において、問い合わせの要求に対する応答がない場合は、無線デジタルカメラ本体３０１の周辺に接続可能な無線端末が存在しないと判定し、そのまま処理を終了する。
【００６３】
図１０は、本実施形態における結合器選択処理を示すフローチャートである。ステップＳ１００１において、無線デジタルカメラ本体３０１から撮影した画像データの無線伝送を開始させる送信開始ボタン３０６が押されるのを待つ。ここで、送信開始ボタン３０６が押下されるとステップＳ１００２へ進み、人体検出部３０４の出力レベルＶdet を取り込む。そして、ステップＳ１００３において、人体などが無線デジタルカメラ本体３０１に近接しているか否かを判定する。
【００６４】
具体的には、出力レベルＶdet ＜Ｖ０か否かを判定し、Ｖdet ＜Ｖ０と判定した場合、即ち、人体が近接していない場合はステップＳ１００４へ進み、結合器１０８を構成する結合器Ａを選択する。また、出力レベルＶdet ＜Ｖ０でないと判定した場合、即ち、人体が近接している場合はステップＳ１００５へ進み、結合器Ｂを選択する。
【００６５】
以上説明したように、人体などが無線デジタルカメラ本体３０１に近接した際に、電波を放射する２つの空中線のうち、人体側、即ち、画像モニタ３０５が位置する面側に配置された空中線への送信信号を減少するように制御することにより、人体、顔面への電波の放射を低減することができる。
【００６６】
［他の実施形態］
次に、図面を参照しながら本発明に係る他の実施形態について詳細に説明する。
【００６７】
前述した実施形態では、無線デジタルカメラ本体３０１に人体が近接した場合、２つの空中線への送信電力の分配制御を行い、人体側の空中線の電波放射を低減させていたが、他の実施形態では人体の近接度合いに応じて、人体側の空中線への送信電力を減衰させて電波放射を低減させるものである。
【００６８】
図１１は、他の実施形態における無線送受信部の構成の一例を示すブロック図である。図１１において、１１０１〜１１０６は前述した実施形態の図１に示す１０１〜１０６に相当し、１１０９〜１１１２は図１に示す１１０〜１１３に相当する。
【００６９】
前述した実施形態では、図１に示す空中線Ａ１１０、空中線Ｂ１１１に送信電力を分配する結合器１０８を複数個で構成したが、他の実施形態では１個の結合器１１０７で構成し、結合器１１０７の一方の出力端を空中線Ａ１１０９へ、もう一方の出力端を可変減衰器１１０８に接続し、その可変減衰器１１０８の出力を空中線Ｂ１１１０へ接続する構成としたものである。
【００７０】
ここで、結合器１１０７の結合度は、３ｄＢの結合度が設定されており、空中線Ａ１１０９と可変減衰器１１０８の入力端には等比率で送信電力が供給されている。また、可変減衰器１１０８には制御部１１０１より、減衰比率制御信号Ｓ５が送出され、可変減衰器１１０８の減衰率を所望の値に設定することができる。
【００７１】
この構成において、人体検出部１１１１からの出力電圧が予め設定された閾値電圧Ｖ０より小さく、人体が無線デジタルカメラに近接していないと判定された場合には、制御部１１０１により減衰器１１０８に減衰率を最小となるような減衰比率制御信号Ｓ５が送出され、結合器１１０７から供給された送信電力は減衰を受けずに空中線Ｂ１１１０に供給される。
【００７２】
従って、空中線Ａ１１０９と空中線Ｂ１１１０にはそれぞれ等しい送信電力が供給され、無線デジタルカメラからの送信電波は無指向性に近い状態で放射される。
【００７３】
また、人体検出部１１１１からの出力電圧が予め設定された閾値電圧より大きく、人体が無線デジタルカメラに近接していると判定された場合には、制御部１１０１により減衰器１１０８に減衰率を所望の値となるような減衰比率制御信号Ｓ５が可変減衰器１１０８に送出され、結合器１１０７から供給された送信電力は所望の減衰を受けて空中線Ｂ１１１０に供給される。
【００７４】
従って、人体が近接している場合、人体側に配置されている空中線Ｂ１１１０から放射される電波は可変減衰器１１０８の減衰比率に相当する分だけ弱められ、人体への電波の放射を抑えることができる。
【００７５】
尚、可変減衰器１１０８は、例えば入力されたデジタル制御データに基づき、ステップ的に減衰率を可変可能なもの、若しくはＤＣ電圧等のアナログ電圧により、減衰率が可変可能な素子のどちらでも構わない。
【００７６】
以上説明したように、実施形態によれば、人体近接検出部によって無線情報端末装置に人体が近接していることを検出し、かつ、その人体近接度合い（距離）を近接検出部からの出力電圧により制御部が判定し、制御部からは判定した近接度合いに応じて複数の電力分配器の中から適当な１つを選択することにより、近接度合いが大きい場合（近接検出部の出力が大きい場合）、人体側に配置している空中線に分配される送信電力の少ない電力分配器を選択するため、人体への電波の放射を低減できる。
【００７７】
逆に、近接度合いが小さい場合（近接検出部の出力が比較的小さい場合）、人体側に配置している空中線と人体の反対側に配置されている空中線とに送信電力を等分配する結合器を選択するため、無線情報端末からは２つの空中線により無指向性に近い電波を放射させることができる。
【００７８】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００７９】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００８０】
この場合、記録媒体から読出されたプログラムコード自体が前述した実施形態の機能を実現することになり、そのプログラムコードを記憶した記録媒体は本発明を構成することになる。
【００８１】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００８２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００８３】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００８４】
【図１】無線情報端末装置における無線送受信部の構成の一例を示すブロック図である。
【図２】ユーザが無線デジタルカメラにより撮像する際の状態を示す図である。
【図３】無線デジタルカメラの外観を示す外観斜視図である。
【図４】本実施形態における人体検出部の構成の一例を示すブロック図である。
【図５】図４に示す発振器４０１の構成の一例を示す図である。
【図６】帯域フィルタ４０３の特性を示す図である。
【図７】発振周波数と出力レベルの関係を示す図である。
【図８】本実施形態における結合器１０８の構成の一例を示す図である。
【図９】本実施形態における制御部の制御手順を示すフローチャートである。
【図１０】本実施形態における結合器選択処理を示すフローチャートである。
【図１１】他の実施形態における無線送受信部の構成の一例を示すブロック図である。
【図１２】従来の無線情報端末装置における無線送信部の構成の一例を示す図である。
【符号の説明】
【００８５】
１０１  制御部
１０２  変調部
１０３  送信ＲＦ部
１０４  送／受切替器
１０５  受信ＲＦ部
１０６  復調部
１０７  結合選択器
１０８  結合器
１０９  選択器
１１０  空中線Ａ
１１１  空中線Ｂ
１１２  人体検出部
１１３  警告表示部
３０１  無線デジタルカメラ本体
３０２  空中線
３０３  空中線
３０４  人体検出部
３０５  ＬＣＤ画像モニタ
３０６  画像送信ボタン
３０７  モードダイヤル
３０８  リリースボタン
３０９  撮影レンズ
４０１  発振器
４０２  緩衝増幅器
４０３  帯域フィルタ
４０４  検波器
４０５  直流増幅器
５０１  トランジスタ（Ｔｒ）
５０２  インダクタ（Ｌ１）
５０３  コンデンサ（Ｃ１）
５０４  コンデンサ（Ｃ２）
５０５  インダクタ（Ｌ２）
【図１】
2005286627.tif 000003
【図２】
2005286627.tif 000004
【図３】
2005286627.tif 000005
【図４】
2005286627.tif 000006
【図５】
2005286627.tif 000007
【図６】
2005286627.tif 000008
【図７】
2005286627.tif 000009
【図８】
2005286627.tif 000010
【図９】
2005286627.tif 000011
【図１０】
2005286627.tif 000012
【図１１】
2005286627.tif 000013
【図１２】
2005286627.tif 000014